(57)【要約】【課題】  同じ種類の家電機器が複数設置され各々メーカが異なっている場合でも、各家電機器を容易に操作することができる装置を提供する。【解決手段】  リモコン信号変換装置１を、任意のメーカの家電機器３における受光部に取り付けて、受信するリモコンコードのメーカと、送信するリモコンコードのメーカと、をメモリ１３に記憶させておくことで、同じ種類の家電機器のリモコン装置２であればメーカや機種が異なっていても、そのリモコン信号４を受信して、リモコン信号変換装置１をセットした家電機器を操作するリモコン信号５を出力する。また、リモコン装置６は、送信するリモコンコードのメーカ名を予め設定しておくことで、操作部が操作されると予め設定されたメーカのリモコンコードを設定順に出力するので、１台のリモコン装置で複数のメーカの家電機器を操作することができる。【選択図】  図１
2005269372.tif 000002
【特許請求の範囲】
【請求項１】
メーカ毎に異なるリモコンコードで操作される同じ機能を有する機器に付属するリモコン装置から送信されたリモコンコードを受信して、前記機器にリモコンコードを送信するリモコン信号変換装置であって、
リモコン装置から出力されたリモコンコードを受信するリモコン信号受信部と、
リモコンコードを送信するリモコン信号送信部と、
複数メーカのリモコンコードを、同一の制御内容を表すコード同士を対応づけて記憶するコード記憶部と、
リモコンコードを受信すべき複数のメーカと、リモコンコードを送信すべき１つのメーカと、が設定されるメーカ設定部と、
前記リモコン信号受信部で受信したリモコンコードを前記コード記憶部から検索し、このリモコンコードのメーカが前記受信すべき複数のメーカのいずれかと一致したら、このリモコンコードに対応する前記１つのメーカのリモコンコードを前記コード記憶部から読み出して、前記リモコン信号送信部に送信させる制御部と、
を備えたリモコン信号変換装置。
【請求項２】
メーカ毎に異なるリモコンコードで操作される同じ機能を有する機器にリモコンコードを送信するリモコン装置であって、
ユーザの操作を受け付ける操作部と、
複数メーカのリモコンコードを、同一の制御内容を表すコード同士を対応づけて記憶するコード記憶部と、
リモコンコードを送信するリモコン信号送信部と、
前記リモコン信号送信部から送信すべきリモコンコードのメーカが設定されるメーカ設定部と、
前記操作部が操作を受け付けると、前記メーカ設定部に設定された全メーカを読み出すとともに、この操作が指示する制御内容のリモコンコードを前記全メーカについて前記コード記憶部から読み出して、前記リモコン信号送信部に送信させる制御部と、
を備えたリモコン装置。
【請求項３】
前記メーカ毎に異なるリモコンコードで操作される同じ機能を有する機器はテレビであり、
前記操作部が受け付けた最新のチャンネル切り換え情報を記憶する設定記憶部を備え、
前記制御部は、前記操作部が電源スイッチの操作を受け付けると、前記設定記憶部から最新のチャンネル切り換え情報を読み出すとともに、テレビの電源スイッチを切り換えるリモコンコードと、前記最新のチャンネル切り換え情報に基づいてテレビのチャンネルを設定する制御内容のリモコンコードと、を、前記メーカの設定順に前記コード記憶部から読み出して、前記リモコン信号送信部に送信させる請求項２に記載のリモコン装置。
【発明の詳細な説明】
【技術分野】
【０００１】
本発明は、同じ種類の家電機器が複数設置され、各々メーカが異なっている場合でも、各家電機器の遠隔操作を容易に行える装置に関する。
【背景技術】
【０００２】
近時、テレビ・ＤＶＤレコーダ・エアコン・扇風機など様々な家電機器が、リモコン
（リモート・コントローラ）装置で操作できる構成となっている。これらの家電機器に付属しているリモコン装置は、通常、付属している家電機器のみを操作できるようになっており、同じ種類の家電機器であってもメーカが異なれば全く操作することができない。これは、周知のように、テレビなどの家電機器では、メーカ毎に異なるリモコンコードが設定されているからである。そのため、例えば、家の各部屋に同じ種類の家電機器がそれぞれ設置され、各々メーカが異なる場合、その家には複数のリモコン装置が存在することになり、リモコン装置は形状やボタン配置がよく似ているので、取り違えるとその家電機器を操作できず、付属のリモコン装置を探さなければならなかった。
【０００３】
そこで、一つの専用トランスミッタでメーカの異なる複数の機器を操作できるとともに、専用トランスミッタの場所的な使用範囲を拡げ、また操作される複数の機器を一か所に集めておく必要がないマルチリモコンシステムの発明が開示されている（例えば、特許文献１参照。）。
【特許文献１】特開平５−５６４８４号公報
【発明の開示】
【発明が解決しようとする課題】
【０００４】
しかしながら、特許文献１に開示されたマルチリモコンシステムでは、トランスミッタの操作キーを操作して動作命令を出力する際に、メーカの指定キーを操作しなければならない。そのため、通常のリモコン装置に比べて操作手順が１つ増えるとともに、操作対象の家電機器のメーカをユーザが記憶しておかなければ操作対象の家電機器を操作できないという問題があった。また、特許文献１に記載のマルチリモコンシステムでは、トランスミッタ（リモコン装置）が任意独立したものではなくリモコン信号変換部とペアーにしたものであった。そのため、このマルチリモコンシステムには、家電機器に付属のリモコンを使用できないという問題があった。
【０００５】
そこで、本発明は、同じ種類の家電機器が複数設置され各々メーカが異なっている場合でも、各家電機器を容易に操作することができる装置を提供することを目的とする。具体的には、操作手順が増えたりユーザが操作対象の家電機器のメーカを覚える必要がなく、また、家電機器に付属のリモコン装置を使用することができるリモコン信号変換装置を提供することを目的とする。また、本発明は、同じ種類の家電機器であれば、メーカや機種が異なっていても容易に操作できるリモコン装置を提供することを目的とする。
【課題を解決するための手段】
【０００６】
この発明は、上記の課題を解決するための手段として、以下の構成を備えている。
【０００７】
（１）メーカ毎に異なるリモコンコードで操作される同じ機能を有する機器に付属するリモコン装置から送信されたリモコンコードを受信して、前記機器にリモコンコードを送信するリモコン信号変換装置であって、
リモコン装置から出力されたリモコンコードを受信するリモコン信号受信部と、
リモコンコードを送信するリモコン信号送信部と、
複数メーカのリモコンコードを、同一の制御内容を表すコード同士を対応づけて記憶するコード記憶部と、
リモコンコードを受信すべき複数のメーカと、リモコンコードを送信すべき１つのメーカと、が設定されるメーカ設定部と、
前記リモコン信号受信部で受信したリモコンコードを前記コード記憶部から検索し、このリモコンコードのメーカが前記受信すべき複数のメーカのいずれかと一致したら、このリモコンコードに対応する前記１つのメーカのリモコンコードを前記コード記憶部から読み出して、前記リモコン信号送信部に送信させる制御部と、
を備えたことを特徴とする。
【０００８】
この構成においては、リモコン信号変換装置は、メーカ毎に異なるリモコンコードで操作される同じ機能を有する機器に付属するリモコン装置から送信されたリモコンコードをリモコン信号受信部で受信し、このリモコンコードをコード記憶部が記憶しているか否かを確認する。続いて、このリモコンコードをコード記憶部が記憶していた場合には、このリモコンコードのメーカが、メーカ設定部に設定された受信すべきメーカと一致するか否かを確認する。そして、一致していた場合には、送信すべきメーカのリモコンコードの中から、受信したリモコンコードに対応するリモコンコードをコード記憶部から読み出して、リモコン信号送信部から送信する。したがって、ユーザは、受信すべきリモコンコードのメーカと、送信すべきリモコンコードのメーカと、をメーカ設定部に予め設定しておくことで、あるメーカの機器（例えばテレビ）に付属するリモコン装置で、別のメーカの機器を操作することができる。また、受信すべきリモコンコードのメーカとして複数のメーカをメーカ設定部に設定させることができるので、複数のメーカの機器に付属するリモコン装置で、あるメーカの機器を操作することができる。
【０００９】
なお、リモコンコードのメーカとは、リモコンコードを送信するリモコン装置が付属する機器を製造するメーカのことである。また、同じ機能を有する機器とは、テレビやエアコンのような単機能を有する機器、及びテレビデオやＤＶＤテレビのような複合機能を有する機器のことである。
【００１０】
（２）メーカ毎に異なるリモコンコードで操作される同じ機能を有する機器にリモコンコードを送信するリモコン装置であって、
ユーザの操作を受け付ける操作部と、
複数メーカのリモコンコードを、同一の制御内容を表すコード同士を対応づけて記憶するコード記憶部と、
リモコンコードを送信するリモコン信号送信部と、
前記リモコン信号送信部から送信すべきリモコンコードのメーカが設定されるメーカ設定部と、
前記操作部が操作を受け付けると、前記メーカ設定部に設定された全メーカを読み出すとともに、この操作が指示する制御内容のリモコンコードを前記全メーカについて前記コード記憶部から読み出して、前記リモコン信号送信部に送信させる制御部と、
を備えたことを特徴とする。
【００１１】
この構成においては、リモコン装置は、操作を受け付けると、メーカ設定部に予め設定された複数のメーカ全てについて、この操作が指示する制御内容のリモコンコードをコード記憶部から読み出して、リモコン信号送信部から出力する。したがって、ユーザは、１つのリモコン装置で複数のメーカの家電機器を操作することができる。なお、同じ機能を有する機器とは、テレビやエアコンのような単機能を有する機器、及びテレビデオやＤＶＤテレビのような複合機能を有する機器のことである。
【００１２】
（３）前記メーカ毎に異なるリモコンコードで操作される同じ機能を有する機器はテレビであり、
前記操作部が受け付けた最新のチャンネル切り換え情報を記憶する設定記憶部を備え、
前記制御部は、前記操作部が電源スイッチの操作を受け付けると、前記設定記憶部から最新のチャンネル切り換え情報を読み出すとともに、テレビの電源スイッチを切り換えるリモコンコードと、前記最新のチャンネル切り換え情報に基づいてテレビのチャンネルを設定する制御内容のリモコンコードと、を、前記メーカの設定順に前記コード記憶部から読み出して、前記リモコン信号送信部に送信させることを特徴とする。
【００１３】
この構成においては、リモコン装置はテレビ用であり、操作部で受け付けたテレビチャンネルの設定情報について最新の内容を操作記憶部で記憶しており、リモコン装置は、テレビの電源操作を受け付けると、テレビの電源を切り換えるリモコンコードとチャンネルを最新の設定チャンネルに切り換えるためのリモコンコードとを、メーカ設定部に予め設定さた複数のメーカ全てについて前記コード記憶部から読み出して、リモコン信号送信部から送信する。したがって、ある部屋でチャンネルを操作して今まで見ていたテレビを消して別の部屋にそのままリモコン装置を持っていき、その部屋のテレビの電源オン操作を行うと、チャンネルの切り換え操作を行わなくても前の部屋で見ていたチャンネルを表示させることができる。
【発明の効果】
【００１４】
本発明のリモコン信号変換装置は、複数のメーカのリモコン装置に対応しており、予め受信設定されたリモコン装置から出力されたリモコンコードを受信して、あるメーカの特定の家電機器を操作するためのリモコンコードを出力する。これにより、特定の家電機器が複数設置されている場合でも、各家電機器に本発明のリモコン信号変換装置を取り付けておくことで、各家電機器に付属のリモコン装置で、同じ種類のメーカが異なる家電機器を操作することができる。
【００１５】
また、本発明のリモコン装置は、リモコンコードを出力するメーカを予め設定しておくことで、同じ種類の家電機器であれば異なるメーカであっても、１台で各家電機器を操作することができる。したがって、例えば、家の各部屋に異なるメーカのテレビを設置している場合、このリモコン装置を使用することで、各部屋のテレビを操作することができ、リモコン装置を取り違えることがない。
【００１６】
さらに、本発明のリモコン装置は、テレビ用であり、最新のチャンネル設定を記憶しているので、テレビの電源のオフ操作後にテレビの電源のオン操作を行うと、電源をオンにするリモコンコードと最新のチャンネル設定にチャンネルを変更するリモコンコードと、を予め設定されたメーカ順に出力する。これにより、例えば、２つの部屋に異なるメーカのテレビを設置している場合、このリモコン装置を使用することで、リモコン装置でチャンネルを変更してから見ていた一方の部屋のテレビを消して、このリモコン装置を持って他方の部屋に移動し、このリモコン装置で他方の部屋のテレビをつけた場合、他方の部屋のテレビに対してチャンネルの変更操作を行うことなく、一方の部屋で見ていたテレビのチャンネルに設定することができる。
【発明を実施するための最良の形態】
【００１７】
［第１実施形態］
図１は、本発明の実施形態に係るリモコン信号変換装置の概略構成を示すブロック図である。以下の説明では、リモコンコードを送信するために、リモコン信号として赤外線を出力するテレビ用のリモコン装置と、このリモコン装置から送信されたリモコンコードを受信するテレビ（テレビジョン）を使用する場合を例に挙げて説明する。なお、以下の説明では、リモコン信号は赤外光であるが、リモコン信号を受信するという。
【００１８】
リモコン信号変換装置１は、複数のメーカのテレビに付属するリモコン装置やユニバーサルリモコンから送信されたリモコン信号を受信可能である。また、以下の説明では、Ａ社製のテレビに付属するリモコン装置２ａから送信されるリモコン信号４ａ、Ｂ社製のテレビに付属するリモコン装置２ｂから送信されるリモコン信号４ｂ、及びＣ社製のテレビに付属するリモコン装置２ｃから送信されるリモコン信号４ｃを受信するように設定し、Ｄ社製のテレビに付属するリモコン装置２ｄから送信されるリモコン信号４ｄは受信しないようにするために、設定を行わなかった場合について説明する。また、Ａ・Ｂ・Ｃ社製のリモコン装置をリモコン装置２と総称し、これらのリモコン装置２から送信されるリモコン信号をリモコン信号４と総称する。図１に示すように、リモコン信号変換装置１は、リモコン装置２から送信されたリモコン信号４を受信し、Ｂ社製のテレビ３に対してリモコン信号５を送信する。
【００１９】
リモコン信号変換装置１は、リモコン信号受信部１１、コード記憶部であるＲＯＭ１２、メーカ記憶部であるメモリ１３、ＣＰＵ１４、リモコン信号送信部１５、操作部１６、及び表示部１７を備えている。リモコン信号受信部１１は、リモコン装置２から送信されたリモコン信号（赤外光）を受信すると、電気信号に変換してＣＰＵ１４に送る。
【００２０】
ＲＯＭ１２は、テレビメーカ各社のリモコン装置で使用するリモコンコードを容易に検索できるように、メーカ毎にリモコンコードが分類されたテーブルであるリモコンコード表を記憶している。このリモコンコード表には、電源のオン・オフ用のリモコンコード、音量のアップ・ダウン用のリモコンコード、チャンネル番号を指定するリモコンコード、画像調整用のリモコンコードなどを含んでいる。
【００２１】
メモリ１３は、リモコン信号変換装置１の初期設定の際に設定されたリモコン装置２から送信されたリモコン信号を受信するメーカと、リモコン信号変換装置１から送信するリモコン信号を受信するテレビのメーカと、を記憶している。また、メモリ１３は、不揮発性メモリから成り、記憶内容を更新可能である。
【００２２】
ＣＰＵ１４は、リモコン信号変換装置１の各部を制御する。
【００２３】
リモコン信号送信部１５は、ＣＰＵ１４から送られてきた電気信号を赤外光のリモコン信号５に変換して送信する。
【００２４】
操作部１６は、リモコン信号変換装置１の初期設定を行うためのスイッチを備えている。
【００２５】
表示部１７は、ＣＰＵ１４から送信された制御信号に基づいて、ユーザに伝達する内容を表示する。
【００２６】
リモコン信号変換装置１は、リモコン信号送信部１５がテレビ３のリモコン信号受信部に当接するように設置すると良い。例えば、Ｂ社製のテレビ３をＢ社製のテレビ用リモコン装置２ｂで操作する場合、リモコン信号変換装置１とテレビ３とが所定の距離を開けて設置されていると、テレビ３のリモコン信号受信部がリモコン信号変換装置１から送信されたリモコン信号と、リモコン装置２ｂから送信されたリモコン信号と、の双方を受信して誤動作するおそれがある。しかし、上記のように、テレビ３に対して当接してリモコン信号変換装置１を設置することで、誤動作を防止することができる。
【００２７】
次に、リモコン信号変換装置１の動作を説明する。ユーザは、リモコン信号変換装置１を使用する際には、初期設定として、リモコン信号変換装置１で受信可能なリモコン信号を送信するテレビ用リモコンが付属していたテレビのメーカと、リモコン信号変換装置１を使用するテレビ３のメーカとを登録する必要がある。リモコン信号変換装置１のＣＰＵ１４は、操作部１６の図外の初期設定用スイッチが操作されたことを検出すると、表示部１７に初期設定を開始する内容を表示させる。そして、ＣＰＵ１４は、ユーザが表示部１７の表示に従って登録操作を行い、リモコン信号を受信可能なリモコン装置２が付属するテレビのメーカと、リモコン信号変換装置１を取り付けるテレビのメーカと、をメーカリストとしてメモリ１３に記憶させる。
【００２８】
例えば、ある部屋にＢ社製とＤ社製のテレビが設置され、別の部屋にＡ社製とＣ社製のテレビがあり、Ｂ社製のテレビにリモコン信号変換装置１を取り付ける場合には、Ａ・Ｂ・Ｃの３社のテレビ用リモコンから送信されたリモコン信号４を受信でき、Ｂ社製のテレビ用のリモコン信号を送信するように設定すると良い。これにより、Ｄ社製のテレビを操作するために付属のリモコン装置２ｄを使用しても、同じ部屋にあるＢ社製のテレビが誤動作することがなく、また、Ｂ社製のテレビを操作するためにＡ・Ｂ・Ｃの３社のテレビ用リモコン装置２ａ，２ｂ，２ｃを使用しても、同じ部屋にあるＤ社製のテレビが誤動作することがない。
【００２９】
次に、リモコン信号変換装置１における初期設定後のリモコン信号の変換動作についてフローチャートに基づいて説明する。図２は、リモコン信号変換装置のリモコン信号変換動作を説明するためのフローチャートである。
【００３０】
ユーザは、Ｂ社製のテレビ３で番組を見るために、例えばＡ社製のテレビ用リモコン装置２ａで電源オンの操作を行う。これにより、リモコン装置２ａからは、Ａ社製のテレビの電源をオンにするリモコンコードを含むリモコン信号４ａが送信される。
【００３１】
リモコン信号変換装置１のＣＰＵ１４は、リモコン信号を受信するまで待機しており、リモコン信号受信部１１でリモコン信号４ａを受信すると（ｓ１）、このリモコン信号４ａとして送信されてきた電源オンを指示するリモコンコードを、ＲＯＭ１２が記憶するリモコンコード表から検索して（ｓ２）、その有無を確認する（ｓ３）。ＣＰＵ１４は、もし、リモコンコード表に未登録の新しいメーカのテレビ用リモコン装置から送信されたリモコン信号を受信したために、このリモコンコードがリモコンコード表にない場合は、表示部１７にエラー表示をさせて（ｓ４）、処理を終了する。
【００３２】
一方、ＣＰＵ１４は、ステップｓ３において、該当するリモコンコードがリモコン信号コード表にあった場合には、そのリモコンコードを使用するリモコン装置２のメーカを、メモリ１３が記憶している受信可能なリモコン信号を送信するテレビ用リモコンが付属していたテレビメーカのメーカリスト中に含まれているか否かを確認する（ｓ５）。ＣＰＵ１４は、もし、メーカリストに登録されていない例えばＤ社製のテレビ用リモコン装置から送信されたリモコン信号を受信したために、メーカリスト中に該当するものがない場合には、表示部１７にエラー表示をさせて（ｓ４）、処理を終了する。
【００３３】
一方、ＣＰＵ１４は、ステップｓ５において、受信したリモコンコードを使用するリモコン装置２のメーカがメーカリスト中に含まれている場合には、メモリ１３からこのメーカ名（Ａ社）とテレビ３のメーカ名（Ｂ社）とを読み出す（ｓ６）。そして、ＣＰＵ１４は、ＲＯＭ１２が記憶しているリモコンコード表から、受信したＡ社のリモコンコードに該当するＢ社のリモコンコード（電源オンを指示するリモコンコード）を読み出す（ｓ７）。続いて、ＣＰＵ１４は、このリモコンコードをリモコン信号送信部１５へ送信して、リモコン信号送信部１５に、このリモコンコードを含むリモコン信号を送信させる（ｓ８）。これにより、テレビ３の電源がオンする。
【００３４】
ＣＰＵ１４は、次にステップｓ１の処理を行う。すなわち、リモコン信号受信部１１で次のリモコン信号を受信するまで待機する。
【００３５】
なお、図２において、リモコン信号変換装置１は、Ｂ社製テレビ用のリモコンやＣ社製テレビ用のリモコンを使用した場合も、Ａ社製テレビ用のリモコンの場合と同様に動作する。
【００３６】
また、リモコン信号変換装置１は、メモリ１３の受信メーカリスト中に無いメーカのリモコンコードを受信した場合には、ユーザに対して、このメーカのリモコンコードを使用できるようにするかを問い合わせる内容を表示部１７に表示するように設定できる。この場合には、ユーザは、メーカリストに未登録のメーカ製テレビ用のリモコンを、複雑な設定無しですぐに使用できる。
【００３７】
また、リモコン信号変換装置１は、テレビ３に内蔵する構成であっても良い。この場合、リモコン信号変換装置１のリモコン信号送信部１５と、テレビ３のリモコン信号受信部と、を接続すべき箇所を直接接続することで、これらを設ける必要がなくなる。
【００３８】
このように、本発明の実施形態に係るリモコン信号変換装置を、任意のメーカの家電機器における受信（受光）部に取り付けることで、同じ種類の家電機器のリモコン装置であればメーカや機種が異なっていても、そのリモコン信号を受信して、リモコン信号変換装置をセットした家電機器を操作するリモコン信号を出力する。
【００３９】
［第２実施形態］
次に、本発明の実施形態に係るリモコン装置について説明する。図３は、本発明の実施形態に係るリモコン装置の概略構成を示すブロック図である。
【００４０】
リモコン装置６は、複数のメーカのテレビ用リモコン装置が送信するリモコン信号を送信可能である。以下の説明では、リモコン装置６に対して、Ａ社製テレビ用のリモコン信号７ａ、Ｂ社製テレビ用のリモコン信号７ｂ、Ｃ社製テレビ用のリモコン信号７ｃを送信するように設定した場合について説明する。
【００４１】
図３に示すように、リモコン装置６は、操作部４１、コード記憶部であるＲＯＭ４２、メーカ記憶部であるメモリ４３、ＲＡＭ４４、ＣＰＵ４５、リモコン信号送信部４６、及び表示部４７を備えている。
【００４２】
操作部４１は、リモコン装置６の初期設定やテレビの操作を行うための複数のスイッチを備えている。これらのスイッチが操作されると、ＣＰＵ４５へ信号が出力される。
【００４３】
ＲＯＭ４２は、テレビメーカ各社のリモコンで使用するリモコンコードを容易に検索できるように、メーカ毎にリモコンコードが分類されたテーブルであるリモコンコード表を記憶している。このリモコンコード表には、電源のオン・オフ用のリモコンコード、音量のアップ・ダウン用のリモコンコード、チャンネル番号を指定するリモコンコードなどを含んでいる。
【００４４】
メモリ４３は、リモコン装置６の使用開始時などに設定された、リモコン信号変換装置１から送信するリモコン信号を受信するテレビのメーカのリストを記憶している。また、メモリ４３は、不揮発性メモリから成り、記憶内容を更新可能である。
【００４５】
ＲＡＭ４４は、操作部４１で行われた設定操作を記憶し、操作が行われる度にその内容が更新されるので、最新の設定操作内容を記憶している。
【００４６】
ＣＰＵ４５は、リモコン装置６の各部を制御する。
【００４７】
リモコン信号送信部４６は、ＣＰＵ４５から送られてきた電気信号を赤外光のリモコン信号７に変換して送信する。
【００４８】
表示部４７は、ＣＰＵ４５から送信された制御信号に基づいて、ユーザに伝達する内容を表示する。
【００４９】
次に、リモコン装置６の動作を説明する。図４は、リモコン装置が出力するリモコン信号の概念図である。ユーザは、リモコン装置６を使用する際には、初期設定として、リモコン装置６で操作を行うテレビのメーカを登録する必要がある。リモコン装置６のＣＰＵ４５は、操作部４１の図外の初期設定用スイッチが操作されたことを検出すると、表示部４７に初期設定を開始する内容を表示する。ユーザは、表示部４７の表示内容に従って登録操作を行い、リモコン装置６で操作するテレビのメーカをメモリ４３に記憶させる。
【００５０】
リモコン装置６のＣＰＵ４５は、ユーザによって操作部４１が操作されたことを検出すると、メモリ４３からメーカリストを読み出して、ＲＯＭ４２のリモコンコード表からこのリストに設定された順番に、操作部の操作に該当するリモコンコードを読み出してリモコン信号送信部４６から送信する。各リモコンコードは、図４に示すように、テレビがリモコン信号を受信した際に、識別可能な間隔で送信される。
【００５１】
例えば、ある部屋にＢ社製とＤ社製のテレビが設置され、別の部屋にＡ社製とＣ社製のテレビがある場合には、Ａ・Ｂ・Ｃの３社のテレビ用のリモコン信号７ａ・７ｂ・７ｃを送信するように設定すると良い。これにより、Ｂ社製のテレビを操作するためにリモコン装置６を使用しても、同じ部屋にあるＤ社製のテレビが誤動作することがない。
【００５２】
次に、リモコン装置６の動作についてフローチャートに基づいて説明する。図５は、リモコン装置の動作を説明するためのフローチャートである。図６は、サブルーチンである信号送信処理を説明するためのフローチャートである。ここで、リモコン装置６のメモリ４３に格納されたメーカリストには、Ａ・Ｂ・Ｃの３社のメーカ名がこの順に設定されている。
【００５３】
ユーザはＢ社製のテレビ３で番組を見るために、リモコン装置６の操作部４１のスイッチを操作する。リモコン装置６のＣＰＵ４５は、操作部４１が操作されたことを検出するまで待機しており、例えば操作部４１の電源スイッチが操作されたことを検出すると（ｓ１１）、電源スイッチのオン操作でなく（ｓ１２）、チャンネルスイッチの切り換え操作であれば（ｓ１３）、このチャンネルの切り換え操作内容をＲＡＭ４４に記憶（上書き）させる（ｓ１４）。そして、ＣＰＵ４５は、信号送信処理を行う（ｓ１５）。
【００５４】
また、ステップｓ１３において、操作部４１の操作がチャンネルスイッチ以外の操作であれば、直ちに信号送信処理を行う（ｓ１５）。
【００５５】
すなわち、図６に示すように、ＣＰＵ４５は、メモリ４３からメーカリストを読み出すとともに、このメーカリストの全メーカ数ｍを確認する（ｓ２１）。続いて、初期設定ではｎ＝１であり（ｓ２２）、ＣＰＵ４５は、ＲＡＭ４４から最新のチャンネル切り換え情報を直前に読み出していないので（ｓ２３）、メーカリストに設定された最初（ｎ＝１）のメーカ（Ａ社）について、操作部４１の操作されたスイッチに割り当てられた操作指示内容に該当するリモコンコードをＲＯＭ４２が記憶しているリモコンコード表から検索して、この操作指示内容に該当するＡ社のリモコンコードを読み出す（ｓ２４）。そして、このリモコンコードをリモコン信号送信部４６へ送信して、リモコン信号送信部４６にこのリモコンコードを含むリモコン信号を送信させる（ｓ２６）。続いて、ＣＰＵ１４は、ｎに１加算して（ｓ２７）、ｎがメーカリストのメーカ総数よりも大きいか否かを判定する（ｓ２８）。つまり、各メーカについて処理を行ったか否かを確認する。ＣＰＵ１４は、ｎがメーカリストのメーカ総数と等しいかまたは小さければ、つまり、未処理のメーカがあれば、メーカリストの２番目以降のメーカについてもｓ２３〜ｓ２８の処理を繰り返し行う。そして、メーカリストのすべてのメーカについてｓ２３〜ｓ２８の処理を行うと（ｎ＞ｍになると）、信号送信処理を終了して、ステップｓ１１において、操作部４１における次の操作を検出するまで待機する。
【００５６】
また、操作部４１の操作が電源スイッチの切り換え操作であれば（ｓ１１，ｓ１２）、ステップｓ１６の信号送信処理において、各メーカの電源スイッチの切り換え操作を行うためのリモコンコードを読み出してリモコン信号を出力する。これにより、例えば、テレビ３の電源スイッチは、オンであったのがオフに切り換わる。
【００５７】
続いて、ＣＰＵ４５は、ＲＡＭ４４から最新のチャンネル切り換え情報を読み出す（ｓ１７）。そして、信号送信処理を行う（ｓ１８）。すなわち、図６に示すように、ＣＰＵ４５は、メモリ４３からメーカリストを読み出すとともに、このメーカリストの全メーカ数ｍを確認する（ｓ２１）。続いて、初期設定ではｎ＝１であり（ｓ２２）、ＣＰＵ４５は、ＲＡＭ４４から最新のチャンネル切り換え情報を直前に読み出したので（ｓ２３）、メーカリストに設定された最初（ｎ＝１）のメーカ（Ａ社）について、最新のチャンネル切り換え情報に対応するリモコンコードをＲＯＭ４２が記憶しているリモコンコード表から検索して読み出す（ｓ２５）。そして、このリモコンコードをリモコン信号送信部４６へ送信して、リモコン信号送信部４６にこのリモコンコードを含むリモコン信号を送信させる（ｓ２６）。続いて、ＣＰＵ１４は、ｎに１加算して（ｓ２７）、ｎがメーカリストのメーカ総数よりも大きいか否かを判定する（ｓ２８）。つまり、各メーカについて処理を行ったか否かを確認する。ＣＰＵ１４は、ｎがメーカリストのメーカ総数と等しいかまたは小さければ、つまり、未処理のメーカがあれば、メーカリストの２番目以降のメーカについてもｓ２３〜ｓ２８の処理を繰り返し行う。そして、メーカリストのすべてのメーカについてｓ２３〜ｓ２８の処理を行うと（ｎ＞ｍになると）、信号送信処理を終了して、ステップｓ１１において、操作部４１における次の操作を検出するまで待機する。
【００５８】
ここで、リモコン装置６の操作部４１の電源スイッチは押しボタンスイッチであり、テレビ３の電源のオン・オフにかかわらず同じリモコンコードが出力される。そのため、リモコン装置６は、電源スイッチが操作されると、テレビ３の電源をオフするとき場合も、オンする場合も同じ動作を行う。
【００５９】
ユーザが別の部屋に移動して、その部屋のテレビの電源をオンするためにリモコン装置６の操作部の電源スイッチを操作する。ＣＰＵ４５は、操作部４１の電源スイッチが操作されたことを検出すると（ｓ１１，ｓ１２）、ステップｓ１６の信号送信処理において、メーカリストに設定された各メーカの電源スイッチの切り換え操作を行うためのリモコンコードを読み出して、リモコン信号を出力する。これにより、例えば、テレビ３の電源スイッチは、オフであったのがオンに切り換わる。
【００６０】
続いて、ＣＰＵ４５は、ＲＡＭ４４から最新のチャンネル切り換え情報を読み出す（ｓ１７）。そして、信号送信処理を行う（ｓ１８）。すなわち、図６に示すように、ＣＰＵ４５は、メモリ４３からメーカリストを読み出すとともに、このメーカリストの全メーカ数ｍを確認する（ｓ２１）。続いて、初期設定ではｎ＝１であり（ｓ２２）、ＣＰＵ４５は、ＲＡＭ４４から最新のチャンネル切り換え情報を直前に読み出したので（ｓ２３）、メーカリストに設定された最初（ｎ＝１）のメーカ（Ａ社）について、最新のチャンネル切り換え情報に対応するリモコンコードをＲＯＭ４２が記憶しているリモコンコード表から検索して読み出す（ｓ２５）。そして、このリモコンコードをリモコン信号送信部４６へ送信して、リモコン信号送信部４６にこのリモコンコードを含むリモコン信号を送信させる（ｓ２６）。続いて、ＣＰＵ１４は、ｎに１加算して（ｓ２７）、ｎがメーカリストのメーカ総数よりも大きいか否かを判定する（ｓ２８）。つまり、各メーカについて処理を行ったか否かを確認する。ＣＰＵ１４は、ｎがメーカリストのメーカ総数と等しいかまたは小さければ、つまり、未処理のメーカがあれば、メーカリストの２番目以降のメーカについてもｓ２３〜ｓ２８の処理を繰り返し行う。そして、メーカリストのすべてのメーカについてｓ２３〜ｓ２８の処理を行うと（ｎ＞ｍになると）、信号送信処理を終了して、ステップｓ１１において、操作部４１における次の操作を検出するまで待機する。
【００６１】
このように、本発明の実施形態に係るリモコン装置は、送信するリモコン装置のメーカ名を予め設定しておくことで、操作部が操作されると予め設定されたメーカのリモコンコードを設定順に出力するので、１台のリモコン装置で複数のメーカの家電機器を操作することができる。また、電源スイッチのオン操作など所定の操作として予め設定された操作が行われると、最新の操作内容を読み出して、それらのリモコンコードを出力するので、例えば、本発明のリモコン装置がテレビ用の場合、ある部屋でチャンネルを操作して見ていたテレビを消して、別の部屋にそのままリモコン装置を持っていき、その部屋のテレビの電源オン操作を行うと、チャンネルの切り換え操作を行わなくても前の部屋で見ていたチャンネルに自動的に設定することができる。
【００６２】
なお、図５，６に基づいた説明では、メモリ４３に格納されたメーカリストの設定順にメーカ名を読み出してリモコンコードを送信するようにしたが、本発明はこれに限るものではなく、メーカリストの全メーカについてメーカ名を読み出すのであれば、任意の順に読み出すように設定しても良い。例えば、ランダムに読み出しても良いし、設定の逆順に読み出しても良い。
【００６３】
また、以上の説明では、テレビ用のリモコン信号変換装置及びリモコン装置を例に挙げて説明したが、本発明はこれに限るものではなく、ビデオレコーダ・ＤＶＤレコーダ・エアコン・扇風機などリモコン装置で操作できる様々な家電機器に適用可能である。また、リモコンコードが機器毎に異なる場合には、メーカに代えて機器毎にリモコンコードを設定すると良い。
【図面の簡単な説明】
【００６４】
【図１】本発明の実施形態に係るリモコン信号変換装置の概略構成を示すブロック図である。
【図２】リモコン信号変換装置のリモコン信号変換動作を説明するためのフローチャートである。
【図３】本発明の実施形態に係るリモコン装置の概略構成を示すブロック図である。
【図４】リモコン装置が出力するリモコン信号の概念図である。
【図５】リモコン装置の動作を説明するためのフローチャートである。
【図６】サブルーチンである信号送信処理を説明するためのフローチャートである。
【符号の説明】
【００６５】
１−リモコン信号変換装置  ２−リモコン装置
２ａ−Ａ社製テレビ用リモコン装置  ２ｂ−Ｂ社製テレビ用リモコン装置
２ｃ−Ｃ社製テレビ用リモコン装置  ２ｄ−Ｄ社製テレビ用リモコン装置
３−テレビ（テレビジョン）
４，４ａ，４ｂ，４ｃ，４ｄ，５−リモコン信号  ６−リモコン装置
７，７ａ，７ｂ，７ｃ−リモコン信号  １１−リモコン信号受信部
１２，４２−ＲＯＭ  １３，４３−メモリ  １４，４４−ＣＰＵ
１５，４６−リモコン信号送信部  １６，４１−操作部  １７，４７−表示部
【図１】
2005269372.tif 000003
【図２】
2005269372.tif 000004
【図３】
2005269372.tif 000005
【図４】
2005269372.tif 000006
【図５】
2005269372.tif 000007
【図６】
2005269372.tif 000008